(57)【要約】【課題】ハードディスクが格納された筐体が引き出された場合でも、筐体内の温度上昇を防止すること。【解決手段】本実施例にかかる引き出し型ハードディスク収容装置は、ドアオープンセンサ１７０が、ＨＤＤ格納装置１００ａ（ＨＤＤ格納装置に関する説明は省略する）の引き出し部が引き出された旨を検知した場合に、引き出された旨をファン管理部１５０ａに通知し、ファン管理部１５０ａがファン１１０ａおよび１１０ｂを高速回転させる。また、引き出し部が引き出された場合に、データ転送管理部１５０ｃが、バッファ１３０からハードディスク群１２０に転送されるデータ量を制限する。【選択図】        図２
2006318536.tif 000002
【特許請求の範囲】
【請求項１】
データを記憶する記憶ユニットを引き出し可能な筐体に格納した引き出し型記憶ユニット収容装置であって、
自装置から前記筐体が引き出されたか否かを判定する引き出し判定手段と、
前記引き出し判定手段の判定結果に基づいて、自装置に設置されたファンの回転数を制御するファン制御手段と、
を備えたことを特徴とする引き出し型記憶ユニット収容装置。
【請求項２】
前記記憶ユニットに転送されるデータ量を制御するデータ量制御手段を更に備え、該データ制御手段は、前記引き出し判定手段の判定結果に基づいて、前記記憶ユニットに転送するデータ量を制限することを特徴とする請求項１に記載の引き出し型記憶ユニット収容装置。
【請求項３】
自装置の温度を検出する温度検出手段を更に備え、前記ファン制御手段は、自装置の温度が所定値を下回った場合に、前記ファンの回転数を下げることを特徴とする請求項１または２に記載の引き出し型記憶ユニット収容装置。
【請求項４】
前記ファン制御手段は、自装置に複数備えられた前記筐体のいずれかが引き出された場合に、引き出された筐体周辺の筐体に設置されたファンの回転数を上げることを特徴とする請求項１、２または３に記載の引き出し型記憶ユニット収容装置。
【請求項５】
前記引き出し判定手段によって前記筐体が引き出されたと判定された場合に、自装置にデータ書き込み依頼を行う管理装置に、前記筐体が引き出された旨を通知し、該管理装置からのデータ転送量を減少させる通知手段を更に備えたことを特徴とする請求項１〜４のいずれか一つに記載の引き出し型記憶ユニット収容装置。
【発明の詳細な説明】
【技術分野】
【０００１】
この発明は、データを記憶する記憶ユニットを引き出し可能な筐体に格納した引き出し型記憶ユニット収容装置に関し、特にハードディスクが格納された筐体が引き出された場合でも、筐体内の温度が急激に上昇すること防止可能な引き出し型記憶ユニット収容装置に関するものである。
【背景技術】
【０００２】
従来、ＲＡＩＤ（Redundant Arrays of Independent）システムなどの管理者は、ＲＡＩＤシステムで利用する複数のハードディスクを能率よく管理すると共に、ＲＡＩＤシステムの設置場所などを節約するために、複数のハードディスクを筐体に格納している。また、ハードディスクを格納した筐体は、引き出し可能となっている場合もあり、管理者は効率よく各ハードディスクを点検または交換することができる。
【０００３】
しかし、複数のハードディスクを筐体に格納することによって、筐体内の温度が過度に上昇してしまい、ハードディスクに悪影響を与えてしまうという問題があったため、筐体内に冷却用のファンなどを取り付け、筐体内の温度上昇を抑えている（例えば特許文献１参照）。
【０００４】
【特許文献１】特許第３５３１６６２号公報
【発明の開示】
【発明が解決しようとする課題】
【０００５】
しかしながら、かかる従来の技術では、ハードディスクが格納された筐体を引き出した場合に、冷却条件が通常時（すなわち、筐体が引き出されていない状態）よりも悪化し、筐体内の温度が急激に上昇してしまうという問題があった。
【０００６】
また、管理者が筐体を引き出し、筐体内のハードディスクを点検・交換などを行う場合には、安全面・信頼性などの観点から念入りに行う必要があるため、かなりの作業時間を要し、筐体内の温度が過度に上昇し、筐体内の各機器に悪影響を与えてしまうためこの問題は更に深刻なものとなっている。
【０００７】
この発明は、上述した従来技術による問題点を解消するためになされたものであり、ハードディスクが格納された筐体が引き出された場合でも、筐体内の温度が急激に上昇すること防止可能な引き出し型記憶ユニット収容装置を提供することを目的とする。
【課題を解決するための手段】
【０００８】
上述した課題を解決し、目的を達成するため、請求項１の発明に係る引き出し型記憶ユニット収容装置は、データを記憶する記憶ユニットを引き出し可能な筐体に格納した引き出し型記憶ユニット収容装置であって、自装置から前記筐体が引き出されたか否かを判定する引き出し判定手段と、前記引き出し判定手段の判定結果に基づいて、自装置に設置されたファンの回転数を制御するファン制御手段と、を備えたことを特徴とする。
【０００９】
この請求項１の発明によれば、引き出し型記憶ユニット収容装置は、自装置から筐体が引き出されたか否かを判定し、判定結果に基づいて、自装置に設置されたファンの回転数を制御する。
【００１０】
また、請求項２の発明に係る引き出し型記憶ユニット収容装置は、請求項１の発明において、前記記憶ユニットに転送されるデータ量を制御するデータ量制御手段を更に備え、該データ制御手段は、前記引き出し判定手段の判定結果に基づいて、前記記憶ユニットに転送するデータ量を制限することを特徴とする。
【００１１】
この請求項２の発明によれば、引き出し型記憶ユニット収容装置は、自装置から筐体が引き出されたか否かを判定し、判定結果に基づいて、記憶ユニットに転送するデータ量を制限する。
【００１２】
また、請求項３の発明に係る引き出し型記憶ユニット収容装置は、請求項１または２の発明において、自装置の温度を検出する温度検出手段を更に備え、前記ファン制御手段は、自装置の温度が所定値を下回った場合に、前記ファンの回転数を下げることを特徴とする。
【００１３】
この請求項３の発明によれば、引き出し型記憶ユニット収容装置は、自装置の温度が所定値を下回った場合に、ファンの回転数を下げる。
【００１４】
また、請求項４の発明に係る引き出し型記憶ユニット収容装置は、請求項１、２または３の発明において、前記ファン制御手段は、自装置に複数備えられた前記筐体のいずれかが引き出された場合に、引き出された筐体周辺の筐体に設置されたファンの回転数を上げることを特徴とする。
【００１５】
この請求項４の発明によれば、引き出し型記憶ユニット収容装置は、自装置に複数備えられた筐体のいずれかが引き出された場合に、引き出された筐体周辺の筐体に設置されたファンの回転数を上げる。
【００１６】
また、請求項５の発明に係る引き出し型記憶ユニット収容装置は、請求項１〜４のいずれか一つに記載の発明において、前記引き出し判定手段によって前記筐体が引き出されたと判定された場合に、自装置にデータ書き込み依頼を行う管理装置に、前記筐体が引き出された旨を通知し、該管理装置からのデータ転送量を減少させる通知手段を更に備えたことを特徴とする。
【００１７】
この請求項５の発明によれば、引き出し型記憶ユニット収容装置は、自装置の筐体が引き出された場合に、自装置に対してデータ書き込み依頼を行う管理装置に、筐体が引き出された旨を通知し、当該管理装置からのデータ転送量を減少させる。
【発明の効果】
【００１８】
請求項１の発明によれば、引き出し型記憶ユニット収容装置は、自装置から筐体が引き出されたか否かを判定し、判定結果に基づいて、自装置に設置されたファンの回転数を制御するので、筐体内の急激な温度上昇を防止することができる。
【００１９】
また、請求項２の発明によれば、引き出し型記憶ユニット収容装置は、自装置から筐体が引き出されたか否かを判定し、判定結果に基づいて、記憶ユニットに転送するデータ量を制限するので、ハードディスクの温度上昇を防止することができる。
【００２０】
また、請求項３の発明によれば、引き出し型記憶ユニット収容装置は、自装置の温度が所定値を下回った場合に、ファンの回転数を下げるので、消費電力を抑えると共に、ファンから発生する騒音の影響も抑えることができる。
【００２１】
また、請求項４の発明によれば、引き出し型記憶ユニット収容装置は、自装置に複数備えられた筐体のいずれかが引き出された場合に、引き出された筐体周辺の筐体に設置されたファンの回転数を上げるので、筐体内の温度上昇を防止することができる。
【００２２】
また、請求項５の発明によれば、引き出し型記憶ユニット収容装置は、自装置の筐体が引き出された場合に、自装置に対してデータ書き込み依頼を行う管理装置に、筐体が引き出された旨を通知し、当該管理装置からのデータ転送量を減少させるので、筐体内の温度上昇を防止することができる。
【発明を実施するための最良の形態】
【００２３】
以下に添付図面を参照して、この発明に係る引き出し型記憶ユニット収容装置の好適な実施の形態を詳細に説明する。
【実施例】
【００２４】
まず、本実施例にかかる引き出し型記憶ユニット収容装置の概念について説明する。本実施例にかかる引き出し型記憶ユニット収容装置（本実施例では、引き出し型ハードディスク収容装置と表記する）は、ハードディスクを格納した筐体部が引き出された場合に、筐体内に設置されたファンを高速回転させ、筐体内の温度上昇を防ぐ。
【００２５】
また、引き出し型ハードディスク収容装置は、ファンの高速回転によって、引き出された筐体内の温度が所定値を下回った場合に、ファンの回転数を通常の回転数に下げ、消費電力を抑えると共に、高速回転によってファンから発生する騒音の影響も最小限に抑える。
【００２６】
図１は、本実施例にかかる引き出し型ハードディスク収容装置６００の構成を示す機能ブロック図である。同図に示すように、この引き出し型ハードディスク収容装置６００は、ＨＤＤ格納装置１００ａ〜１００ｈ、電源装置２００、ＨＤＤ（Hard Disk Drive）制御装置３００ａ，３００ｂ、インターフェース装置４００およびファン５００を有する。なお、図６では、左に引き出し型ハードディスク収容装置６００の正面側を示し、右に引き出し型ハードディスク収容装置６００の背面側を示す。
【００２７】
ＨＤＤ格納装置１００ａ〜１００ｈは、複数のハードディスクを格納し、内部に冷却用のファンなどを備える装置である。そして、ＨＤＤ格納装置１００ａ〜１００ｈは、管理者に引き出された場合に、内部のファンを高速回転させることによって、筐体内の温度上昇を防止する。
【００２８】
また、ＨＤＤ格納装置１００ａ〜１００ｈのいずれかが引き抜かれた場合に、引き抜かれたＨＤＤ格納装置周辺のＨＤＤ格納装置に対する引き抜きを制限する。例えば、ＨＤＤ格納装置１００ｂが引き抜かれた場合には、ＨＤＤ格納装置１００ａ，１００ｆ，１００ｃをロックする。
【００２９】
このように、ＨＤＤ格納装置１００ａ〜１００ｈのいずれかが引き抜かれた場合に、周辺のＨＤＤ格納装置に対する引き抜きを制限することによって、温度上昇を効果的に防止することができる。
【００３０】
電源装置２００は、ＨＤＤ格納装置１００ａ〜１００ｈ、ＨＤＤ制御装置３００ａ，３００ｂ、インターフェース装置４００、ファン５００に電気を供給する装置である。
【００３１】
ＨＤＤ制御装置３００ａは、ＨＤＤ格納装置１００ａ〜１００ｈを管理し、ＨＤＤ格納装置１００ａ〜１００ｈに対してデータの書き込み読み込み要求を行う装置である。また、ＨＤＤ制御装置３００ａは、ＨＤＤ格納装置１００ａ〜１００ｈのいずれかが引き出された場合に、引き出されたＨＤＤ格納装置に対するデータ転送を制限し、引き出されたＨＤＤ格納装置に格納されたハードディスクの温度上昇を防ぐ。
【００３２】
ＨＤＤ制御装置３００ｂは、ＨＤＤ制御装置３００ａに障害が発生した場合に、ＨＤＤ制御装置３００ａに代わってＨＤＤ格納装置１００ａ〜１００ｈを管理する装置である。
【００３３】
インターフェース装置４００は、所定の通信プロトコルを利用して、他のサーバ装置などとの間で通信を行う装置であり、ファン５００は、電源装置２００などを冷却するための装置である。
【００３４】
次に、図１で示したＨＤＤ格納装置１００ａの構成について説明する（ＨＤＤ格納装置１００ｂ〜１００ｅに対する説明はＨＤＤ格納装置１００ａと同様であるため説明を省略する）。図２は、ＨＤＤ格納装置１００ａの構成を示す機能ブロック図である。同図に示すように、このＨＤＤ格納装置１００ａは、ファン１１０ａ，１１０ｂ、ハードディスク群１２０、バッファ１３０、電源ユニット１４０、管理装置１５０、温度センサ１６０、ドアオープンセンサ１７０、引き出し制限装置１８０を有する。
【００３５】
ファン１１０ａおよび１１０ｂは、ＨＤＤ格納装置１１０ａの内部を冷却する装置であり、管理装置１５０からの指示にしたがって、ファンの回転数を変更する。ハードディスク群１２０は、複数のハードディスクを有し、バッファ１３０から取得するデータを記録する装置である。
【００３６】
バッファ１３０は、管理装置１５０から取得したデータを一時的に記憶し、この記憶したデータをハードディスク群１２０に渡す装置である。また、バッファ１３０は、ハードディスク群１２０から取得したデータを一時的に記憶し、この記憶したデータを管理装置１５０に渡す。
【００３７】
電源ユニット１４０は、ファン１１０ａ，１１０ｂ、ハードディスク群１２０、バッファ１３０、管理装置１５０などに電気を供給する装置である。
【００３８】
管理装置１５０は、ファン１１０ａ，１１０ｂおよびハードディスク群１２０を管理する装置であり、ファン管理部１５０ａ、インターフェース部１５０ｂ、データ転送管理部１５０ｃ、引き出し管理部１５０ｄを有する。
【００３９】
ファン管理部１５０ａは、温度センサ１６０およびドアオープンセンサ１７０から取得する情報を基にしてファン１１０ａ、１１０ｂの回転数および回転方向などを管理する処理部である。温度センサ１６０は、ＨＤＤ格納装置１１０ａ内の温度を検出し、検出した温度の情報（以下、温度情報と表記する）をファン管理部１５０ａ、データ転送管理部１５０ｃに渡す装置である。また、ドアオープンセンサ１９０は、ＨＤＤ格納装置１００ａの本体部から引き出し部が引き出された場合に、引き出し部が引き出された旨をファン管理部１５０ａに通知する装置である。なお、引き出し部には、ファン１１０ａ，１１０ｂ、ハードディスク群１２０、バッファ１３０、電源ユニット１４０、管理装置１５０、温度センサ１６０、ドアオープンセンサ１７０、引き出し制限装置１８０が格納されている。
【００４０】
ここで、ファン管理部１５０ａの具体的な処理について説明すると、ファン管理部１５０ａは、ドアオープンセンサ１７０から引き出し部が引き出された旨の通知を受けた場合に、ファン１１０ａおよびファン１１０ｂの回転数を上げる（ファンを高速回転させる）。この場合、ファン管理部１５０ａは、空気が筐体外部から内部に流れ込むようにファン１１０ａおよび１１０ｂの回転方向を制御する。
【００４１】
引き出し部が引き出されている場合は、構造上覆いがないため、各ファン１１０ａ、１１０ｂから流入する空気がぶつかり合い、ハードディスクの熱を効率よく装置外に逃がすことができ、冷却効果を高めることができる。
【００４２】
また、ファン管理部１５０ａは、温度センサ１６０から温度情報を取得し、ＨＤＤ格納装置１００ａ内の温度が所定値を下回っている場合に、ファン１１０ａおよびファン１１０ｂの回転数を通常の回転数に戻す。
【００４３】
すなわち、ファン管理部１５０ａは、ＨＤＤ格納装置の引き出し部が引き出された場合に、ファン１１０ａ、１１０ｂを高速回転させるが、ファン１１０ａ、１１０ｂの高速回転による冷却効果によって装置内の温度が十分下がった場合に、ファン１１０ａ、１１０ｂの回転数を通常の回転数に戻すことによって、消費電力を抑えることができると共に、ファン１１０ａ、１１０ｂから発生する騒音の影響を低減させることができる。なお、ファン管理部１５０は、装置内の温度が所定値を上回った場合には、再びファン１１０ａ、１１０ｂを高速回転させる。
【００４４】
また、ファン管理部１５０ａは、引き出し管理部１５０ｄから周辺のＨＤＤ格納装置（例えば、ＨＤＤ格納装置１１０ｂなど）の引き出し部が引き出された旨の通知を受けた場合には、ファン１１０ａおよび１１０ｂを高速回転させる。こうすることで、ＨＤＤ格納装置１００ａの外部から受ける温度上昇の影響を最小限に抑えることができる。
【００４５】
インターフェース部１５０ｂは、所定の通信プロトコルを利用して、ＨＤＤ制御装置３００ａ，３００ｂ、ＨＤＤ格納装置１００ｂ〜１００ｈ等との間で通信を行うための処理部である。
【００４６】
データ転送管理部１５０ｃは、インターフェース部１５０から取得するデータを、バッファ１３０を介してにハードディスク群１２０に転送する処理部である。また、データ転送管理部１５０ｃは、バッファ１３０に一時的に記憶されたデータをインターフェース部１５０ｂに転送する。
【００４７】
また、データ転送管理部１５０ｃは、引き出し管理部１５０ｄからＨＤＤ格納装置１００ａの引き出し部が引き出された旨の通知を受付けた場合には、バッファ１３０からハードディスク群１２０に転送されるデータ量を制限し、各ハードディスクの温度上昇を抑える。
【００４８】
また、データ転送管理部１５０は、温度センサ１６０から温度情報を取得し、ＨＤＤ格納装置１００ａ内の温度が所定値以上か否かを判定し、ＨＤＤ格納装置１００ａ内の温度が所定値以上と判定した場合にも、バッファ１３０からハードディスク群１２０に転送されるデータ量を制限する。
【００４９】
なお、データ転送管理部１５０ｃは、温度情報を取得し、ＨＤＤ格納装置１００ａ内の温度が所定値を下回ったと判定した場合には、バッファ１３０からハードディスク群１２０に転送される制限していたデータ量を通常のデータ量に戻す。
【００５０】
引き出し管理部１５０ｄは、ドアオープンセンサ１７０からＨＤＤ格納装置１００ａの引き出し部が引き出された旨の通知を受けた場合には、その旨をファン管理部１５０ａ、データ転送管理部１５０ｃ、ＨＤＤ格納装置１００ｂ〜１００ｈ、ＨＤＤ制御装置３００ａ，３００ｂに通知する処理部である。
【００５１】
このように、引き出し管理部１５０ｄが、ＨＤＤ制御装置３００ａおよび３００ｂに引き出し部が引き出された旨を通知することによって、ＨＤＤ制御装置３００ａまたは３００ｂから転送されるデータ量を制限させることができ、筐体内の温度上昇を防ぐことができる。
【００５２】
また、引き出し管理部１５０ｄは、ＨＤＤ格納装置１００ｂ〜１００ｈのいずれかから、引き出し部が引き出された旨の通知を取得した場合には、引き出し制限装置１８０を利用して引き出し部をロックし、ＨＤＤ格納装置１００ａから引き出し部が引き出されることを禁止し、他のＨＤＤ格納装置による温度上昇の影響を抑える。ここで、引き出し制限部１８０は、引き出し部をロックし、本体部から引き出されることを防止する装置である。
【００５３】
ところで、図３は、本実施例にかかるＨＤＤ格納装置１００ａの模式図である。同図に示すように、ＨＤＤ格納装置は、FAN UNIT（図２に示したファン１１０ａに対応）、HDD（図２に示したハードディスク群１２０に対応）、PBC（図２に示した管理装置１５０に対応）、BP（図２に示したバッファ１３０に対応）などを有する。なお、図３に関するその他の説明は省略する。
【００５４】
次に、本実施例にかかるＨＤＤ格納装置１００ａの処理について説明する。図４は、本実施例にかかるＨＤＤ格納装置１００ａの処理を示すフローチャートである。同図に示すように、ドアオープンセンサ１７０が、ＨＤＤ格納装置１００ａの引き出し部が引き出された場合に、引き出された旨をファン管理部１５０ａおよび引き出し管理部１５０ｄに通知し（ステップＳ１０１）、ファン管理部１５０ａが、ファン１１０ａおよび１１０ｂの回転数をアップさせる（ステップＳ１０２）。
【００５５】
そして、引き出し管理部１５０ｄが、引き出し部が引き出された旨をデータ転送管理部１５０ｃなどに通知し、データ転送管理部１５０ｃは、バッファ１３０からハードディスク群１２０に転送されるデータ量を制限する（ステップＳ１０３）。
【００５６】
続いて、ファン管理部１５０ａおよびデータ転送管理部１５０ｃは、温度センサ１６０から温度情報を取得し（ステップＳ１０４）、ファン管理部１５０は、ＨＤＤ格納装置１００ａの温度に基づき、ファン１１０ａ，１１０ｂの回転数を変更（または維持）し、データ転送管理部１５０ｃは、ＨＤＤ格納装置１００ａの温度に基づき、バッファ１３０からハードディスク群１２０に転送されるデータ量を変更（または維持）し、ステップＳ１０４に移行する。
【００５７】
上述してきたように、本実施例にかかる引き出し型ハードディスク収容装置６００は、ドアオープンセンサ１７０が、ＨＤＤ格納装置１００ａ（ＨＤＤ格納装置１００ｂ〜１００ｈに関する説明は省略する）の引き出し部が引き出された旨を検知した場合に、引き出された旨をファン管理部１５０ａに通知し、ファン管理部１５０ａがファン１１０ａおよび１１０ｂを高速回転させる。また、引き出し部が引き出された場合に、データ転送管理部１５０ｃが、バッファ１３０からハードディスク群１２０に転送されるデータ量を制限するので、引き出し部が引き出された場合であっても、効率よく装置内の温度上昇を防ぐことができる。
【００５８】
（付記１）データを記憶する記憶ユニットを引き出し可能な筐体に格納した引き出し型記憶ユニット収容装置であって、
自装置から前記筐体が引き出されたか否かを判定する引き出し判定手段と、
前記引き出し判定手段の判定結果に基づいて、自装置に設置されたファンの回転数を制御するファン制御手段と、
を備えたことを特徴とする引き出し型記憶ユニット収容装置。
【００５９】
（付記２）前記記憶ユニットに転送されるデータ量を制御するデータ量制御手段を更に備え、該データ制御手段は、前記引き出し判定手段の判定結果に基づいて、前記記憶ユニットに転送するデータ量を制限することを特徴とする付記１に記載の引き出し型記憶ユニット収容装置。
【００６０】
（付記３）自装置の温度を検出する温度検出手段を更に備え、前記ファン制御手段は、自装置の温度が所定値を下回った場合に、前記ファンの回転数を下げることを特徴とする付記１または２に記載の引き出し型記憶ユニット収容装置。
【００６１】
（付記４）前記温度検出手段が検出した温度に基づいて、前記データ制御手段は、前記記憶ユニットに転送するデータ量を制限することを特徴とする付記３に記載の引き出し型記憶ユニット収容装置。
【００６２】
（付記５）前記ファン制御手段は、自装置に複数備えられた前記筐体のいずれかが引き出された場合に、引き出された筐体周辺の筐体に設置されたファンの回転数を上げることを特徴とする付記１〜４のいずれか一つに記載の引き出し型記憶ユニット収容装置。
【００６３】
（付記６）前記引き出し判定手段によって前記筐体が引き出されたと判定された場合に、自装置にデータ書き込み依頼を行う管理装置に、前記筐体が引き出された旨を通知し、該管理装置からのデータ転送量を減少させる通知手段を更に備えたことを特徴とする付記１〜５のいずれか一つに記載の引き出し型記憶ユニット収容装置。
【００６４】
（付記７）前記筐体は吸気用ファンと排気用ファンとを有し、前記ファン制御手段は、前記引き出し判定手段の結果に基づいて、前記吸気用ファンおよび排気用ファンからの空気が筐体内部に流入するように前記吸気用ファンおよび排気用ファンを制御することを特徴とする付記１〜６のいずれか一つに記載の引き出し型記憶ユニット収容装置。
【００６５】
（付記８）複数備えられた筐体のいずれかが引き出された場合に、他の筐体に対する引き出しを制限する筐体引き出し制限手段を更に備えたことを特徴とする付記１〜７のいずれか一つに記載の引き出し型記憶ユニット収容装置。
【００６６】
（付記９）データを記憶する記憶ユニットを引き出し可能な筐体に格納した引き出し型記憶ユニット収容装置を制御する収容装置制御方法であって、
前記筐体が引き出されたか否かを判定する引き出し判定工程と、
前記引き出し判定手段の判定結果に基づいて、前記引き出し型記憶ユニット収容装置に設置されたファンの回転数を制御するファン制御工程と、
を含んだことを特徴とする収容装置制御方法。
【００６７】
（付記１０）前記記憶ユニットに転送されるデータ量を制御するデータ量制御工程を更に含み、該データ制御工程は、前記引き出し判定工程の判定結果に基づいて、前記記憶ユニットに転送するデータ量を制限することを特徴とする付記９に記載の収容装置制御方法。
【産業上の利用可能性】
【００６８】
以上のように、本発明にかかる引き出し型記憶ユニット収容装置は、装置内の温度上昇を防止する必要のあるＲＡＩＤシステムなどに対して有用である。
【図面の簡単な説明】
【００６９】
【図１】本実施例にかかる引き出し型ハードディスク収容装置の構成を示す機能ブロック図である。
【図２】ＨＤＤ格納装置の構成を示す機能ブロック図である。
【図３】本実施例にかかるＨＤＤ格納装置の模式図である。
【図４】本実施例にかかるＨＤＤ格納装置の処理を示すフローチャートである。
【符号の説明】
【００７０】
１００ａ，１００ｂ，１００ｃ，１００ｄ，１００ｅ，１００ｆ，１００ｇ，１００ｈ    ＨＤＤ格納装置
１１０ａ，１００ｂ  ファン
１２０    ハードディスク群
１３０    バッファ
１４０    電源ユニット
１５０    管理装置
１５０ａ  ファン管理装置
１５０ｂ  インターフェース部
１５０ｃ  データ転送管理部
１５０ｄ  引き出し管理部
１６０    温度センサ
１７０    ドアオープンセンサ
１８０    引き出し制限装置
２００    電源装置
３００ａ，３００ｂ  ＨＤＤ制御装置
４００    インターフェース装置
５００    ファン
６００    引き出し型ハードディスク収容装置
【図１】
2006318536.tif 000003
【図２】
2006318536.tif 000004
【図３】
2006318536.tif 000005
【図４】
2006318536.tif 000006